(57)【特許請求の範囲】
【請求項１】
手で持つことができる筒状の支持体と、この支持体内に回転可能に取付けられた電動工具等の駆動装置あるいは該支持体の後端部に取付けられた駆動装置で駆動される回転軸と、この回転軸の先端部に取付けられた円筒状の回転刃本体、この回転刃本体の先端部に所定間隔でかつ該回転刃本体の外周部および内周部が切り粉の逃し隙間となるように外方および内方へ突出するように固定された多数個の切削刃とからなる回転切削刃と、前記支持体の先端部に固定されたボックスの幅寸法とほぼ同じ幅寸法に形成された前記回転切削刃の外周部を覆うカバーと、このカバーに取付けられた前記回転切削刃で切断した部位の孔の下部に係止される出没可能な係止片とを備えることを特徴とするケーブル配線ボックス用穴明け治具。
【発明の詳細な説明】
【０００１】
【発明の属する技術分野】
本発明は壁板で覆われたケーブル配線ボックスの開口部を開口する場合に使用されるケーブル配線ボックス用穴明け治具に関する。
【０００２】
【従来の技術】
従来、この種のケーブル配線ボックス用穴明け治具は、先端部にノコ刃状の切削刃を形成した円筒回転切削刃や２枚刃を回転させるものが市販されている。
【０００３】
【発明が解決しようとする課題】
従来の円筒回転切削刃はすぐ目詰まりを起こし、厚い壁板では切削刃に詰まった切り粉を除去する作業を頻繁に行なわなければならず、効率のよい穴明け作業ができないという欠点があった。
また、２枚刃を回転させるものでは刃が弱く、すぐに切れなくなったり、一部に切欠部がある部分での切削時には２枚刃がぶれて刃の損傷や、損傷した部分が飛散して危険であるという欠点があった。
【０００４】
本発明は以上のような従来の欠点に鑑み、厚い壁板でも容易に短時間に切削して穴を形成することができるとともに、損傷しづらい回転切削刃を用いることができるケーブル配線ボックス用穴明け治具を提供することを目的としている。
【０００５】
また、本発明は回転切削刃からの切削除去した部分の取出しを容易にできるとともに、安全でどんな部位にケーブル配線ボックスが配置されていても、該ケーブル配線ボックス内に配置する部位の壁板に穴を形成することができるケーブル配線ボックス用穴明け治具を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明は手で持つことができる筒状の支持体と、この支持体内に回転可能に取付けられた電動工具等の駆動装置あるいは該支持体の後端部に取付けられた駆動装置で駆動される回転軸と、この回転軸の先端部に取付けられた円筒状の回転刃本体、この回転刃本体の先端部に所定間隔でかつ該回転刃本体の外周部および内周部が切り粉の逃し隙間となるように外方および内方へ突出するように固定された多数個の切削刃とからなる回転切削刃と、前記支持体の先端部に固定されたボックスの幅寸法とほぼ同じ幅寸法に形成された前記回転切削刃の外周部を覆うカバーと、このカバーに取付けられた前記回転切削刃で切断した部位の孔の下部に係止される出没可能な係止片とでケーブル配線ボックス用穴明け治具を構成している。
【０００８】
【０００９】
【発明の実施の形態】
以下、図面に示す実施の形態により、本発明を詳細に説明する。
【００１０】
図１ないし図１７に示す本発明の第１の実施の形態において、１は手で持つことができる筒状の支持体で、この支持体１は後端部の上下部がフランジ状となるように大きく形成された長方形状の支持体本体２と、この支持体本体２の後端部に両側中央部が開口３、３するように形成されたダイヤル収納凹部４と、このダイヤル収納凹部４と同形状のダイヤル収納凹部４が形成され、複数本のビス５によって該支持体本体２の後端部に固定される支持板６とで構成されている。
【００１１】
７は前記支持体１内で、該支持体１の先端部に取付けられた軸受８および先端部寄りの軸受部２０に回転可能でスライド移動可能に取付けられる回転軸で、この回転軸７の後端部は電動工具９に挟着固定できるように多角形状、本発明の実施の形態では六角形状に形成され、後端部を除く部位が筒状に形成された回転軸本体１０と、この回転軸本体１０の先端部寄りの部位に形成した一対の長孔状の切欠部１１、１１と、前記回転軸本体１０の先端部に溶接等によって固定された一対の位置決めピン１２、１２および一対の固定ボルト１３、１３が螺合された、該回転軸本体１０の孔１４と一致する孔１５を中央部に有する円板状の取付け板１６とで構成されている。
【００１２】
１７は前記回転軸７の移動量を任意に設定することができる回転軸移動量設定機構で、この回転軸移動量設定機構１７は前記回転軸７の後端部寄りの部位で、後端部を除く部位にビス１８によって固定されたスプリング支持筒１９と、このスプリング支持筒１９に一端部が支持され、他端部が前記支持体１の前方寄りの部位に形成された軸受部２０に支持されたスプリング２１と、前記スプリング支持筒１９の外周部にスライド移動可能に取付けられた、前記支持体１のほぼ中央部の上部に形成された長孔２２部に挿入された指示針２３を先端に有する外周部にねじ部２４が形成された位置決め筒２５と、この位置決め筒２５のねじ部２４と螺合されるねじ部２６が形成された、前記支持体１のダイヤル収納凹部４、４内に回転可能に収納されたダイヤル２７を有する調整筒２８と、前記支持体１の長孔２２の開口部２２ａを覆う目盛２９が記載された透明材製の目盛カバー３０とで構成されている。
【００１３】
３１は前記回転軸７の先端部より常時突出するように取付けられた排出支持ロッドで、この排出支持ロッド３１は前記回転軸７の先端部にスライド移動可能に取付けられた筒状の排出支持ロッド本体３２と、この排出支持ロッド本体３２の先端部に一体形成された切欠部３３を有する円錐台筒状の支持片３４と、この支持片３４よりも先端部が突出するように、前記排出支持ロッド本体３２に取付けられたドリル３５と、前記支持体１の軸受８、２０間の凹部３６内にスライド移動可能に取付けられた支持リング３７と、この支持リング３７と前記回転軸７の一対の長孔状の切欠部１１、１１を介して、前記排出支持ロッド３１の後端部とを固定する複数本のビス３８と、前記支持リング３７を常時前方へ付勢するように前記回転軸７の外周部の凹部３６内に収納された付勢スプリング３９とで構成されている。
【００１４】
４０は前記回転軸７の取付け板１６に着脱可能に取付けられる回転切削刃で、この回転切削刃４０は円筒状の回転刃本体４１と、この回転刃本体４１の後端部に一体形成された一対の位置決めピン挿入孔４２、４２、一対の固定ボルト挿入孔４３、４３および中央部に透孔４４を有する取付け部４５と、前記回転刃本体４１の先端部に所定間隔で、かつ該回転刃本体４１の外周部および内周部が切り粉の逃し隙間４６、４７となるように、外方および内方へ突出するように固定された多数個の切削刃４８とで構成されている。
【００１５】
４９は前記支持体１の先端部に固定された前記回転切削刃４０の外周部を覆うカバーで、このカバー４９は透明材でケーブル配線ボックス５０の幅寸法とほぼ同じ幅寸法で、上端部をケーブル配線ボックス５０の上部に位置させる該ケーブル配線ボックス５０の下端部が下部となるように、前記回転切削刃４０で切削できるように形成された箱状のカバー本体５１と、このカバー本体５１の先端部にリング状に取付けられたスベリ止め片５２と、前記カバー本体５１の上面に取付けられた水平器５３と、前記カバー本体５１の下部に形成した係止片挿入凹部５４と、この係止片挿入凹部５４にスライド移動可能に取付けられた、前記回転切削刃４０で形成した透孔５５の下部のほぼ半円弧部に挿入することができる係止片５６と、この係止片５６の先端部を常時突出する方向に付勢する付勢スプリング５７、５７とで構成されている。
【００１６】
上記構成のケーブル配線ボックス用穴明け治具５８は、壁板５９で覆われたケーブル配線ボックス５０を本願発明者が発明し、商品化したケーブル配線ボックス検出センサー６０で検出し、壁板５９に筆記具でケガく。
この筆記具でケガかれた部位の上部にカバー４９の上部が位置するように配置し、回転軸７の後端部に固定された電動工具９を駆動させ、前方へスライド移動するように押し付けることにより、回転軸７の先端部に取付けられたドリル３５によって、壁板５９に中心孔６１を形成するとともに、回転切削刃４０が回転してケーブル配線ボックス５０内に丸孔ができるように壁板５９を切削する。
【００１７】
この回転切削刃４０の壁板５９の切削時に生ずる切り粉は、多数個の切削刃４８間を介して回転刃本体４１の内外周部間に生じる隙間４６、４７へ排出されるため、目詰まりが生じることなく、効率よく切削して壁板５９に透孔５５を形成することができる。
【００１８】
壁板５９に透孔５５が形成されると、カバー４９を壁板５９より外すことにより排出支持ロッド本体３２が付勢スプリング３９によって外方へ突出するので、該排出支持ロッド本体３２に取付けられた切削除去した壁板５９ａが取付けられているドリル３５も外方へ突出し、該ドリル３５より切削除去された壁板５９ａを容易に取り外すことができる。
【００１９】
次に、カバー４９の係止片５６を形成された透孔５５の下部に係止させ、回転軸７を電動工具９で駆動させて前方へ押し付けることにより、前記透孔５５の上部に前述と同様に透孔５５Ａを形成することができる。
このように壁板５９にほぼ８の字状の透孔５５、５５Ａを形成した後、ケーブル配線ボックス５０の内壁面に沿うようにカッターナイフやヤスリ等によって残りの壁板５９部分を除去する。
【００２０】
【発明の異なる実施の形態】
次に、図１８ないし図２６に示す本発明の異なる実施の形態につき説明する。なお、これらの本発明の異なる実施の形態の説明に当って、前記本発明の第１の実施の形態と同一構成部分には同一符号を付して重複する説明を省略する。
【００２１】
図１８ないし図２０に示す本発明の第２の実施の形態において、前記本発明の第１の実施の形態と主に異なる点は、カバー本体５１Ａの係止片挿入凹部５４に該カバー本体５１Ａに形成したクランク状の溝６２内を移動する、レバー６３の操作で出没させることができる係止片５６Ａを設けた点で、このように構成したケーブル配線ボックス用穴明け治具５８Ａにしても、前記本発明の第１の実施の形態と同様な作用効果が得られる。
【００２２】
図２１ないし図２３に示す本発明の第３の実施の形態において、前記本発明の第１の実施の形態と主に異なる点は、排出支持ロッド３１に壁板５９に食い込ますことができるピン６４を設けるとともに、回転軸移動量設定機構を使用しないで構成した点で、このように構成したケーブル配線ボックス用穴明け治具５８Ｂにしても、前記本発明の第１の実施の形態と同様な作用効果が得られる。
【００２３】
図２４ないし図２６に示す本発明の第４の実施の形態において、前記本発明の第１の実施の形態と主に異なる点は、回転軸７を回転駆動させる、充電できる駆動装置６５の駆動軸６６を回転軸７に固定的に取付けた点で、このように構成したケーブル配線ボックス用穴明け治具５８Ｃにしても、前記本発明の第１の実施の形態と同様な作用効果が得られる。
【００２４】
【発明の効果】
以上の説明から明らかなように、本発明にあっては次に列挙する効果が得られる。
【００２５】
（１） 手で持つことができる筒状の支持体と、この支持体内に回転可能に取付けられた電動工具等の駆動装置あるいは該支持体の後端部に取付けられた駆動装置で駆動される回転軸と、この回転軸の先端部に取付けられた円筒状の回転刃本体、この回転刃本体の先端部に所定間隔でかつ該回転刃本体の外周部および内周部が切り粉の逃し隙間となるように外方および内方へ突出するように固定された多数個の切削刃とからなる回転切削刃と、前記支持体の先端部に固定されたボックスの幅寸法とほぼ同じ幅寸法に形成された前記回転切削刃の外周部を覆うカバーと、このカバーに取付けられた前記回転切削刃で切断した部位の孔の下部に係止される出没可能な係止片とで構成されているので、壁板が厚くても回転切削刃の複数個の切削刃間より回転刃本体の内・外周部の逃し隙間より切り粉を逃すことができる。
したがって、切削刃の目詰まりが生じることなく、効率よく、短時間に壁板に透孔を形成することができる。
【００２６】
（２）前記（１）によって、回転刃本体の内周部との間に逃し隙間が生じるように回転刃本体の先端部に多数個の切削刃を固定しているので、円形状に切削された壁板は回転刃本体の内周部との間に隙間を有するため、容易に取り除くことができる。
【図面の簡単な説明】
【図１】本発明の第１の実施の形態の正面図。
【図２】本発明の第１の実施の形態の平面図。
【図３】本発明の第１の実施の形態の右側面図。
【図４】本発明の第１の実施の形態の左側面図。
【図５】図２の５−５線に沿う断面図。
【図６】本発明の第１の実施の形態の回転軸の移動量設定機構の説明図。
【図７】本発明の第１の実施の形態の排出支持ロッドの説明図。
【図８】本発明の第１の実施の形態の回転切削刃の正面図。
【図９】本発明の第１の実施の形態の回転切削刃の側面図。
【図１０】図９の１０−１０線に沿う断面図。
【図１１】本発明の第１の実施の形態のカバーの正面図。
【図１２】本発明の第１の実施の形態のカバーの平面図。
【図１３】本発明の第１の実施の形態のカバーの側面図。
【図１４】図１２の１４−１４線に沿う断面図。
【図１５】ケーブル配線ボックスを検出する状態の説明図。
【図１６】本発明の第１の実施の形態の使用状態の説明図。
【図１７】係止片を使用した使用状態の説明図。
【図１８】本発明の第２の実施の形態の正面図。
【図１９】本発明の第２の実施の形態の平面図。
【図２０】本発明の第２の実施の形態の係止片を復帰差せた状態の説明図。
【図２１】本発明の第３の実施の形態の正面図。
【図２２】本発明の第３の実施の形態の平面図。
【図２３】図２２の２３−２３線に沿う断面図。
【図２４】本発明の第４の実施の形態の正面図。
【図２５】本発明の第４の実施の形態の平面図。
【図２６】本発明の第４の実施の形態の断面図。
【符号の説明】
１：支持体、            ２：支持体本体、
３：開口、              ４：ダイヤル収納凹部、
５：ビス、              ６：支持板、
７：回転軸、            ８：軸受、
９：電動工具、          １０：回転軸本体、
１１：切欠部、          １２：位置決めピン、
１３：固定ボルト、      １４：孔、
１５：孔、              １６：取付け板、
１７：回転軸移動量設定機構、
１８：ビス、            １９：スプリング支持筒、
２０：軸受部、          ２１：スプリング、
２２：長孔、            ２３：指示針、
２４：ねじ部、          ２５：位置決め筒、
２６：ねじ部、          ２７：ダイヤル、
２８：調整筒、          ２９：目盛、
３０：目盛カバー、      ３１：排出支持ロッド、
３２：排出支持ロッド本体、
３３：切欠部、          ３４：支持片、
３５：ドリル、          ３６：凹部、
３７：支持リング、      ３８：ビス、
３９：付勢スプリング、  ４０：回転切削刃、
４１：回転刃本体、      ４２：位置決めピン挿入孔、
４３：固定ボルト挿入孔、４４：透孔、
４５：取付け部、        ４６、４７：隙間、
４８：切削刃、          ４９：カバー、
５０：ケーブル配線ボックス、
５１、５１Ａ：カバー本体、
５２：スベリ止め片、    ５３：水平器、
５４：係止片挿入凹部、  ５５、５５Ａ：透孔、
５６、５６Ａ：係止片、  ５７：付勢スプリング、
５８、５８Ａ、５８Ｂ、５８Ｃ：ケーブル配線ボックス用穴明け治具、
５９：壁板、
６０：ケーブル配線ボックス検出センサー、
６１：中心孔、          ６２：クランク状の溝、
６３：レバー、          ６４：ピン、
６５：駆動装置、        ６６：駆動軸。
【図１】
0003732106.tif 000002
【図２】
0003732106.tif 000003
【図３】
0003732106.tif 000004
【図４】
0003732106.tif 000005
【図５】
0003732106.tif 000006
【図６】
0003732106.tif 000007
【図７】
0003732106.tif 000008
【図８】
0003732106.tif 000009
【図９】
0003732106.tif 000010
【図１０】
0003732106.tif 000011
【図１１】
0003732106.tif 000012
【図１２】
0003732106.tif 000013
【図１３】
0003732106.tif 000014
【図１４】
0003732106.tif 000015
【図１５】
0003732106.tif 000016
【図１６】
0003732106.tif 000017
【図１７】
0003732106.tif 000018
【図１８】
0003732106.tif 000019
【図１９】
0003732106.tif 000020
【図２０】
0003732106.tif 000021
【図２１】
0003732106.tif 000022
【図２２】
0003732106.tif 000023
【図２３】
0003732106.tif 000024
【図２４】
0003732106.tif 000025
【図２５】
0003732106.tif 000026
【図２６】
0003732106.tif 000027